(57)【要約】【課題】焼却時にダイオキシンの発生が防止されると共にその他の有害物が除去される可燃性廃棄物の焼却方法を提供する。【解決手段】粒状の可燃性廃棄物と、少なくとも水及び燃料油を含むエマルジョンとを、混合状態で燃焼させる。エマルジョン中の燃料油の燃焼によって、エマルジョン中のクラスター状の水滴が燃焼領域の全体に拡散して夫々が小さな水蒸気爆発を起こし、外部からの空気の供給量も通常燃焼の１／２５以下でよい。これらのために、未燃焼炭素濃度が著しく低くてベンゼン核が極めて形成されにくく、燃焼領域に部分的な高温領域もできにくい。【選択図】　図１
2004019979.tif 000002
【特許請求の範囲】
【請求項１】
粒状の可燃性廃棄物を準備する工程と、
質量比４０〜８０％の塩基水溶液と燃料油とを含むエマルジョンを準備する工程と、
前記可燃性廃棄物と前記エマルジョンとを混合状態で燃焼させる工程と
を具備する可燃性廃棄物の焼却方法。
【請求項２】
粒状の可燃性廃棄物と粉状の塩基とを含む混合物を準備する工程と、
質量比４０〜８０％の水と燃料油とを含むエマルジョンを準備する工程と、
前記混合物と前記エマルジョンとを混合状態で燃焼させる工程と
を具備する可燃性廃棄物の焼却方法。
【請求項３】
粒状の可燃性廃棄物を準備する工程と、
質量比４０〜８０％の水と燃料油とを含むエマルジョンを準備する工程と、
前記可燃性廃棄物と前記エマルジョンとを混合状態で燃焼させる工程と
を具備する可燃性廃棄物の焼却方法。
【請求項４】
粉砕されている木質材料を前記可燃性廃棄物に混合する工程を具備する請求項１〜３の何れか一項に記載の可燃性廃棄物の焼却方法。
【請求項５】
前記燃焼を燃焼開始側の第一の領域と燃焼終了側の第二の領域とで行い、
前記第二の領域では蓄熱槽の周囲における螺旋状の流路内で前記燃焼を行う請求項１〜４の何れか一項に記載の可燃性廃棄物の焼却方法。
【発明の詳細な説明】
【０００１】
【発明の属する技術分野】
本願の発明は、可燃性の産業廃棄物及び一般廃棄物の焼却方法に関するものである。
【０００２】
【従来の技術】
可燃性の産業廃棄物及び一般廃棄物の殆どが高いエネルギーを保有しているので、埋立等の最終処分を行う前にその可燃性廃棄物の保有エネルギーを発電等に利用すると共に中間処理を行うために、可燃性廃棄物を焼却することが広く行われている。ところが、この焼却によって塩素ガス（Ｃｌ２）、硫黄酸化物（ＳＯｘ）、窒素酸化物（ＮＯｘ）等の有害物が排出され、特に塩素はダイオキシンの発生原因になるので、公衆衛生や自然環境等が悪影響を受ける。
【０００３】
これらの有害物の発生を防止するために、焼却後の排気ガスを水で洗浄して有害物を水で捕捉する方法が考えられている。また、厳格な温度管理の下で可燃性廃棄物を高温で焼却し且つ排気ガスを急冷すれば、ダイオキシンの発生は抑制することができるとされている。
【０００４】
【発明が解決しようとする課題】
しかし、有害物を水で捕捉する方法では、洗浄後の水で公衆衛生や自然環境等が二次的に悪影響を受ける。また、厳格な温度管理及び急冷を行う方法では、処理コストが高く、しかもダイオキシンの発生は抑制することができても塩素ガス、硫黄酸化物、窒素酸化物等の有害物の排出は抑制することができない。従って、本願の発明は、焼却時にダイオキシンの発生が防止されると共にその他の有害物が除去されて、公衆衛生や自然環境等に対する悪影響を防止し且つ可燃性廃棄物の保有エネルギーを有効に利用しつつ、可燃性廃棄物を焼却することができる方法を提供することを目的としている。
【０００５】
【課題を解決するための手段】
請求項１に係る可燃性廃棄物の焼却方法では、エマルジョン中の燃料油の燃焼によって、エマルジョン中の塩基水溶液におけるクラスター状の水滴が燃焼領域の全体に拡散して夫々が小さな水蒸気爆発を起こし、粒状の可燃性廃棄物が更に微細になる。このため、可燃性廃棄物の空気接触面積が非常に大きくなって、可燃性廃棄物の燃焼効率が著しく高い。更に、燃焼に必要な酸素が水蒸気から供給されて、外部からの空気の供給量が通常燃焼の１／２５以下でよいので、被燃焼物の温度が高温に維持される。これらの結果、可燃性廃棄物が完全燃焼に近い状態で燃焼する。
【０００６】
このため、可燃性廃棄物に含まれていた炭素の殆どが二酸化炭素になり、未燃焼炭素濃度が著しく低くて、ベンゼン核が極めて形成されにくい。また、可燃性廃棄物から塩素や硫黄が殆ど完全に分離し、これらによる塩素ガスや硫黄酸化物がエマルジョン中の塩基水溶液におけるイオン性の塩基と中和反応して塩として析出する。
【０００７】
また、上述の水蒸気爆発によって燃焼が燃焼領域内で均一に生じて、燃焼領域に部分的な高温領域ができにくい。更に、上述の様に、燃焼に必要な酸素が水蒸気から供給されて、外部からの空気の供給量が通常燃焼の１／２５以下でよい。これらのために、燃焼に伴って生じる窒素酸化物が生成されにくく、生成された窒素酸化物もエマルジョン中の塩基水溶液におけるイオン性の塩基と中和反応して塩として析出する。
【０００８】
また、可燃性廃棄物が完全燃焼に近い状態で燃焼するので、可燃性廃棄物の保有エネルギーが有効に取り出される。なお、エマルジョン中における塩基水溶液の質量比が４０％未満であると、水蒸気爆発が過少になって、ベンゼン核の形成の防止や、可燃性廃棄物からの塩素及び硫黄の分離や、燃焼に伴って生じる窒素酸化物の生成の防止が困難になる。また、エマルジョン中における塩基水溶液の質量比が８０％超であると、燃料油が過少になって、可燃性廃棄物の燃焼自体が困難になる。
【０００９】
請求項２に係る可燃性廃棄物の焼却方法では、エマルジョン中の燃料油の燃焼によって、エマルジョン中のクラスター状の水滴が燃焼領域の全体に拡散して夫々が小さな水蒸気爆発を起こし、粒状の可燃性廃棄物が更に微細になる。このため、可燃性廃棄物の空気接触面積が非常に大きくなって、可燃性廃棄物の燃焼効率が著しく高い。更に、燃焼に必要な酸素が水蒸気から供給されて、外部からの空気の供給量が通常燃焼の１／２５以下でよいので、被燃焼物の温度が高温に維持される。これらの結果、可燃性廃棄物が完全燃焼に近い状態で燃焼する。
【００１０】
このため、可燃性廃棄物に含まれていた炭素の殆どが二酸化炭素になり、未燃焼炭素濃度が著しく低くて、ベンゼン核が極めて形成されにくい。また、可燃性廃棄物から塩素や硫黄が殆ど完全に分離し、これらによる塩素ガスや硫黄酸化物が、可燃性廃棄物との混合物に含まれていてエマルジョン中の水によってイオン化した塩基と中和反応して塩として析出する。
【００１１】
また、上述の水蒸気爆発によって燃焼が燃焼領域内で均一に生じて、燃焼領域に部分的な高温領域ができにくい。更に、上述の様に、燃焼に必要な酸素が水蒸気から供給されて、外部からの空気の供給量が通常燃焼の１／２５以下でよい。これらのために、燃焼に伴って生じる窒素酸化物が生成されにくく、生成された窒素酸化物も、可燃性廃棄物との混合物に含まれていてエマルジョン中の水によってイオン化した塩基と中和反応して塩として析出する。
【００１２】
また、可燃性廃棄物が完全燃焼に近い状態で燃焼するので、可燃性廃棄物の保有エネルギーが有効に取り出される。なお、エマルジョン中における水の質量比が４０％未満であると、水蒸気爆発が過少になって、ベンゼン核の形成の防止や、可燃性廃棄物からの塩素及び硫黄の分離や、燃焼に伴って生じる窒素酸化物の生成の防止が困難になる。また、エマルジョン中における水の質量比が８０％超であると、燃料油が過少になって、可燃性廃棄物の燃焼自体が困難になる。
【００１３】
請求項３に係る可燃性廃棄物の焼却方法では、エマルジョン中の燃料油の燃焼によって、エマルジョン中のクラスター状の水滴が燃焼領域の全体に拡散して夫々が小さな水蒸気爆発を起こし、粒状の可燃性廃棄物が更に微細になる。このため、可燃性廃棄物の空気接触面積が非常に大きくなって、可燃性廃棄物の燃焼効率が著しく高い。更に、燃焼に必要な酸素が水蒸気から供給されて、外部からの空気の供給量が通常燃焼の１／２５以下でよいので、被燃焼物の温度が高温に維持される。
【００１４】
これらの結果、可燃性廃棄物が完全燃焼に近い状態で燃焼する。このため、可燃性廃棄物に含まれていた炭素の殆どが二酸化炭素になり、未燃焼炭素濃度が著しく低くて、ベンゼン核が極めて形成されにくい。
【００１５】
また、上述の水蒸気爆発によって燃焼が燃焼領域内で均一に生じて、燃焼領域に部分的な高温領域ができにくい。更に、上述の様に、燃焼に必要な酸素が水蒸気から供給されて、外部からの空気の供給量が通常燃焼の１／２５以下でよい。これらのために、燃焼に伴って生じる窒素酸化物が生成されにくい。
【００１６】
また、可燃性廃棄物が完全燃焼に近い状態で燃焼するので、可燃性廃棄物の保有エネルギーが有効に取り出される。なお、エマルジョン中における水の質量比が４０％未満であると、水蒸気爆発が過少になって、ベンゼン核の形成の防止や、燃焼に伴って生じる窒素酸化物の生成の防止が困難になる。また、エマルジョン中における水の質量比が８０％超であると、燃料油が過少になって、可燃性廃棄物の燃焼自体が困難になる。
【００１７】
請求項４に係る可燃性廃棄物の焼却方法では、粉砕された木質材料を可燃性廃棄物に混合するので、燃焼時の熱量を調整することができる。このため、可燃性廃棄物が完全燃焼に更に近い状態で燃焼し、ベンゼン核が更に形成されにくい。また、可燃性廃棄物が完全燃焼に更に近い状態で燃焼するので、可燃性廃棄物からの塩素や硫黄の分離が促進されて、これらによる塩素ガスや硫黄酸化物と塩基との中和反応による塩の析出も促進される。また、可燃性廃棄物が完全燃焼に更に近い状態で燃焼するので、可燃性廃棄物の保有エネルギーが更に有効に取り出される。
【００１８】
請求項５に係る可燃性廃棄物の焼却方法では、燃焼終了側の第二の領域では蓄熱槽の周囲における螺旋状の流路内で燃焼を行う。このため、蓄熱槽の蓄熱効果によって被燃焼物の温度が更に高温に維持され、また、螺旋状の流路によって燃焼領域における被燃焼物の滞留時間が長い。これらの結果、可燃性廃棄物が完全燃焼に更に近い状態で燃焼し、ベンゼン核が更に形成されにくい。
【００１９】
また、可燃性廃棄物が完全燃焼に更に近い状態で燃焼するので、可燃性廃棄物からの塩素や硫黄の分離が促進されて、これらによる塩素ガスや硫黄酸化物と塩基との中和反応による塩の析出も促進される。また、可燃性廃棄物が完全燃焼に更に近い状態で燃焼するので、可燃性廃棄物の保有エネルギーが更に有効に取り出される。
【００２０】
【発明の実施の形態】
以下、本願の発明の一実施形態を、図１を参照しながら説明する。本実施形態では、可燃性廃棄物が乾燥設備１１で乾燥され粉砕機１２で粒状に冷却粉砕されて熱量調整設備１３へ送られる。また、木質材料が粉砕機１４で粉砕され乾燥設備１５で乾燥され計量設備１６で計量されて熱量調整設備１３へ送られる。熱量調整設備１３で木質材料によって可燃性廃棄物の燃焼時における熱量が調整された後、これらの可燃性廃棄物と木質材料とが混合攪拌装置１７へ送られる。
【００２１】
粉砕された残りの木質材料も、熱量が調整された可燃性廃棄物と木質材料との混合物に対して１対１の質量比になる様に、フィーダ１８で混合攪拌装置１７へ送られる。更に、水酸化カルシウムや水酸化ナトリウム等である粉状の塩基が計量設備１９で計量されてフィーダ２１で混合攪拌装置１７へ送られる。可燃性廃棄物と木質材料と塩基とが混合攪拌装置１７で混合攪拌され移送装置２２で一次燃焼炉２３のバイブレータフィーダ２４まで送られホッパ２５へ均一に送られることができる状態で、待機状態になっている。
【００２２】
一方、燃料油貯槽２６へ、液位計２７の指示値に応じて、灯油またはＡ重油である燃料油が燃料油受入設備２８から送り込まれる。そして、燃料油貯槽２６中の燃料油が燃料油移送管２９、燃料油移送ポンプ３１及び燃料油供給管３２、３３で計量設備３４へ送られる。燃料油供給管３２には燃料油移送ポンプ３１を作動させるための圧力計３５が備えられている。計量設備３４で計量された燃料油はゲル製造装置３６へ送られる。
【００２３】
界面活性剤貯槽３７へ界面活性剤受入設備３８から界面活性剤が送り込まれ、界面活性剤貯槽３７から取り出された界面活性剤が計量設備３９で計量されてゲル製造装置３６へ送られる。ゲル製造装置３６で燃料油と界面活性剤とから燃料油のゲルが製造され、水２０％エマルジョン製造機４１で質量比２０％の水と燃料油とを含むエマルジョンが製造される。更に、水６０％エマルジョン製造機４２で質量比６０％の水と燃料油とを含むエマルジョンが製造されて、エマルジョンの流動性が向上される。
【００２４】
水２０％エマルジョン製造機４１及び水６０％エマルジョン製造機４２へは水槽４３から水供給管４４で水が供給され、水槽４３へは市水受入設備４５から水が送り込まれる。水６０％エマルジョン製造機４２は一次燃焼炉２３及び二次燃焼炉４６の夫々のエジェクタ４７、４８の近傍に設置されており、水６０％エマルジョン製造機４２で製造されたエマルジョンは定量移送装置４９及びエマルジョン供給管５１でエジェクタ４７、４８まで送られて、待機状態になっている。
【００２５】
また、エジェクタ４７、４８からエマルジョンが円滑に噴霧される様に、圧縮空気が、空気圧縮機５２で製造され、空気供給管５３で空気貯槽５４へ送られる。空気圧縮機５２及び空気貯槽５４には夫々圧力計５５、５６が備えられており、圧力スイッチ５７が圧力計５６の指示値に応答して空気圧縮機５２の作動を制御する。空気貯槽５４には安全弁５８も備えられている。空気貯槽５４内の圧縮空気の圧力は空気供給管５９の圧力調整弁６０で調整されて、エジェクタ４７、４８が作動できる状態で待機状態になっている。
【００２６】
以上の様な待機状態で、まず、燃料油が燃料油貯槽２６から取り出され燃料油移送管２９、燃料油移送ポンプ３１、燃料油供給管３２及び燃料油供給支管６１、６２で一次燃焼炉２３及び二次燃焼炉４６の夫々の燃料油バーナ６３、６４へ送られて、燃料油のみの燃焼が開始される。この燃料油のみの燃焼で一次燃焼炉２３内及び二次燃焼炉４６内の温度がエマルジョン燃焼の可能な８００℃になった時点で、エジェクタ４７、４８の作動が開始され、エマルジョンバーナ６５、６６からエマルジョンが噴霧されて、エマルジョンの燃焼も開始される。
【００２７】
これらの燃料油燃焼及びエマルジョン燃焼で一次燃焼炉２３内及び二次燃焼炉４６内の温度が１１００℃になった時点で、二次燃焼炉４６の燃料油燃焼が停止され、それと同時に可燃性廃棄物と木質材料と塩基との混合物がホッパ２５から一次燃焼炉２３内へ投入されて、この混合物の燃焼が開始される。そして、一次燃焼炉２３内及び二次燃焼炉４６内の温度が１３００℃になった時点で、一次燃焼炉２３の燃料油燃焼が停止されて、エマルジョン燃焼と混合物燃焼とが継続される。
【００２８】
エマルジョン燃焼では、エマルジョン中の燃料油の燃焼によって、エマルジョン中のクラスター状の水滴が一次燃焼炉２３及び二次燃焼炉４６の全体に拡散して夫々が小さな水蒸気爆発を起こし、粒状の可燃性廃棄物が更に微細になる。このため、可燃性廃棄物の空気接触面積が非常に大きくなって、可燃性廃棄物の燃焼効率が著しく高い。更に、燃焼に必要な酸素が水蒸気から供給されて、外部からの空気の供給量が通常燃焼の１／２５以下でよいので、一次燃焼炉２３内及び二次燃焼炉４６内の可燃性廃棄物等の温度が高温に維持される。
【００２９】
これらの結果、可燃性廃棄物が完全燃焼に近い状態で燃焼する。このため、可燃性廃棄物に含まれていた炭素の殆どが二酸化炭素になり、未燃焼炭素濃度が著しく低くて、煤燼が非常に少なく煙は全く排出されない。また、上述の水蒸気爆発によって燃焼が一次燃焼炉２３内及び二次燃焼炉４６内で均一に生じて、一次燃焼炉２３内及び二次燃焼炉４６内に部分的な高温領域ができにくい。更に、上述の様に、燃焼に必要な酸素が水蒸気から供給されて、外部からの空気の供給量が通常燃焼の１／２５以下でよい。これらのために、燃焼に伴って生じる窒素酸化物が生成されにくい。
【００３０】
可燃性廃棄物が完全燃焼に近い状態で燃焼すると、可燃性廃棄物から塩素や硫黄等が殆ど完全に分離し、これらが塩素ガスや硫黄酸化物等になる。一方、エジェクタ４７、４８から一次燃焼炉２３内及び二次燃焼炉４６内へ噴射されている質量比６０％の水と燃料油とを含むエマルジョン中の水によって、ホッパ２５から一次燃焼炉２３内へ投入されている混合物内の塩基がイオン化される。
【００３１】
そして、このイオン化した塩基が、一次燃焼炉２３内及び二次燃焼炉４６内の塩素ガス、硫黄酸化物及び窒素酸化物等と中和反応して、固定相の塩として析出する。従って、ダイオキシンの発生が防止されると共に塩素ガス、硫黄酸化物及び窒素酸化物等の有害物が除去される。
【００３２】
しかし、塩素ガス、硫黄酸化物及び窒素酸化物等が過剰であって中和反応でも除去されずに残ると、これらが一次燃焼炉２３内及び二次燃焼炉４６内に浮遊する。この浮遊が感知器６７で感知されると、感知信号が塩基水溶液製造装置６９へ送られて、水酸化カルシウムや水酸化ナトリウム等の塩基を含む塩基水溶液が塩基水溶液製造装置６９で製造される。
【００３３】
塩基水溶液製造装置６９で製造された塩基水溶液は、濃度調整計量装置７１による濃度調整及び計量の後に水６０％エマルジョン製造機４２へ送られる。塩基水溶液製造装置６９へは塩基受入設備７２から塩基が送り込まれ、塩基水溶液製造装置６９及び濃度調整計量装置７１へは水槽４３から水供給管４４及び水供給支管７３で水が送り込まれる。水６０％エマルジョン製造機４２では、それまでは質量比６０％の水と燃料油とを含むエマルジョンが製造されていたが、濃度調整計量装置７１から塩基が送られると、質量比６０％の塩基水溶液と燃料油とを含むエマルジョンが製造される。
【００３４】
質量比６０％の塩基水溶液と燃料油とを含むエマルジョンはエジェクタ４７、４８から一次燃焼炉２３内及び二次燃焼炉４６内へ噴射される。エジェクタ４７、４８から一次燃焼炉２３内及び二次燃焼炉４６内へ新たに噴射された質量比６０％の塩基水溶液と燃料油とを含むエマルジョン中の水によっても、ホッパ２５から一次燃焼炉２３内へ投入されている混合物内の塩基がイオン化される。
【００３５】
そして、このイオン化した塩基とエマルジョン中の塩基水溶液中の塩基とが、一次燃焼炉２３内及び二次燃焼炉４６内の塩素ガス、硫黄酸化物及び窒素酸化物等と中和反応して、固定相の塩として析出する。従って、過剰な塩素ガス、硫黄酸化物及び窒素酸化物等の有害物も除去される。一次燃焼炉２３内及び二次燃焼炉４６内で生じた残渣は、残渣取出口７４に集積し、ダンパ７５を介して取り出されて、残渣取出コンベア７６で搬出される。
【００３６】
二次燃焼炉４６の後続段として熱交換器７７が設けられているが、熱交換器７７が二次燃焼炉４６に直結されていると、中和反応で析出する塩、特に食塩、が熱交換器７７の内壁面に凝着して熱交換器７７の性能を低下させる。そこで、二次燃焼炉４６と熱交換器７７との間に、水管式のラジエタに類似の構造を有する着脱の容易な凝着器７８が設けられており、中和反応で析出する塩は凝着器７８に凝着して、熱交換器７７の内壁面への析出塩の凝着が防止されている。このため、塩素ガス、硫黄酸化物及び窒素酸化物等の有害物とこれらの有害物からの析出塩とが除去された高温ガスが、熱交換器７７へ送られる。
【００３７】
熱交換器７７へは浄化水供給管７９から浄化水が取り入れられ、この浄化水と高温ガスとの熱交換によって得られる高温高圧蒸気は発電設備８１へ送られる。熱交換器７７には、圧力計８２、安全弁８３及び温度計８４も備えられている。熱交換された排気ガスは集塵器８５へ送られ、残渣取出口７４に集積しなかった排気ガス中の煤燼等が集塵器８５で除去される。煤燼等を除去された排気ガスは、誘引送風機８６で誘引され、排気管８７を経てガス洗浄機８８へ送られる。
【００３８】
ガス洗浄機８８では、塩基水溶液が塩基水溶液槽８９から循環ポンプ９１で塩基水溶液圧送管９２を経て噴霧ノズル９３から高圧で噴霧される。塩基水溶液圧送管９２には圧力計９４が備えられている。噴霧ノズル９３からの塩基水溶液の噴霧によって、排気ガス中に残留している塩素ガス、硫黄酸化物及び窒素酸化物等の有害物が中和反応されると共に微粒状の煤燼や二酸化炭素等が捕捉される。噴霧済の塩基水溶液は、塩基水溶液戻り管９５を経て塩基水溶液槽８９へ戻され、塩基水溶液槽８９内に設置されているプレコートフィルターの珪藻土で濾過される。
【００３９】
プレコートフィルターの珪藻土による濾過では、排気ガス中に残留していた有害物と、噴霧ノズル９３からの塩基水溶液の噴霧による中和反応で形成された塩と、噴霧ノズル９３からの塩基水溶液の噴霧で捕捉された微粒状の煤燼等とが、捕捉される。ガス洗浄機８８で浄化された清浄な排気ガスは、排気管９６を経て吸引送風機９７で吸引され、煙突９８から大気中へ放出される。プレコートフィルターの珪藻土は後に溶融処理されるので、公衆衛生や自然環境等に対する二次的な悪影響も防止される。
【００４０】
噴霧ノズル９３から噴霧される塩基水溶液は、塩基水溶液槽８９とガス洗浄機８８との間を循環し、その汚れを塩基水溶液槽８９内のプレコートフィルターで濾過され、その濃度を自動的に計測されて一定に保持され、最終的にはエマルジョンの塩基水溶液として利用される。このため、本実施形態の設備では、プロセス排水が外部へ一切排出されない。
【００４１】
なお、以上の実施形態では、図１にも示されている様に、二次燃焼炉４６は単なる空洞状であり、可燃性廃棄物等はこの空洞内で燃焼する。しかし、二次燃焼炉内に蓄熱槽を設けると共にこの蓄熱槽の周囲に螺旋状の流路を設け、この螺旋状の流路内で可燃性廃棄物等を燃焼させてもよい。この様にすると、蓄熱槽の蓄熱効果によって可燃性廃棄物等の温度が１３００〜１６００℃程度の範囲、一般には１５００℃程度の更に高温に維持され、また、螺旋状の流路によって二次燃焼炉における可燃性廃棄物等の滞留時間が長い。これらの結果、可燃性廃棄物が完全燃焼に更に近い状態で燃焼する。
【００４２】
なお、燃焼炉内の温度が１５００℃程度以上になると、炉壁が激しく損傷して長時間の運転には耐えられないと一般に考えられている。しかし、炉壁に酸化防止剤を塗布することによって２２００℃程度までの温度に耐えることができる様にすることが可能である。
【００４３】
また、上述の実施形態では、粉状の塩基が計量設備１９及びフィーダ２１から送られて混合攪拌装置１７で可燃性廃棄物と混合攪拌され、また、塩基水溶液製造装置６９及び濃度調整計量装置７１から送られる塩基水溶液が水６０％エマルジョン製造機４２で燃料油と共に質量比６０％の塩基水溶液を含むエマルジョンにされる。しかし、必ずしも可燃性廃棄物とエマルジョンとの両方に塩基が含まれている必要はなく、これらの一方にのみ塩基が含まれているだけでもよく、エマルジョン中の塩基水溶液の質量比も４０〜８０％であればよい。
【００４４】
更に、可燃性廃棄物とエマルジョンとの何れにも塩基が含まれていなくても、可燃性廃棄物が完全燃焼に近い状態で燃焼するためにダイオキシンの発生が防止され、また、一次燃焼炉２３内及び二次燃焼炉４６内に部分的な高温領域ができにくく且つ外部からの空気の供給量が通常燃焼の１／２５以下でよいので窒素酸化物の発生が防止される。この場合にも、完全燃焼の程度を高め、部分的な高温領域の形成を効果的に防止し、外部からの空気の供給量を減少させるために、エマルジョン中の水の質量比を４０〜８０％にする。
【００４５】
【発明の効果】
請求項１、２に係る可燃性廃棄物の焼却方法では、ベンゼン核が極めて形成されにくく、しかも、可燃性廃棄物から分離した塩素による塩素ガスが塩基と中和反応して塩として析出するので、焼却時にダイオキシンの発生が防止される。また、可燃性廃棄物から分離した塩素、硫黄による塩素ガス及び硫黄酸化物や燃焼に伴って生じる窒素酸化物が塩基と中和反応して塩として析出するので、焼却時に有害物が除去される。また、可燃性廃棄物の保有エネルギーが有効に取り出される。従って、公衆衛生や自然環境等に対する悪影響を防止し且つ可燃性廃棄物の保有エネルギーを有効に利用しつつ、可燃性廃棄物を焼却することができる。
【００４６】
請求項３に係る可燃性廃棄物の焼却方法では、ベンゼン核が極めて形成されにくいので、焼却時にダイオキシンの発生が防止される。また、燃焼に伴って生じる窒素酸化物が生成されにくいので、焼却時に窒素酸化物の発生が防止される。また、可燃性廃棄物の保有エネルギーが有効に取り出される。従って、公衆衛生や自然環境等に対する悪影響を防止し且つ可燃性廃棄物の保有エネルギーを有効に利用しつつ、可燃性廃棄物を焼却することができる。
【００４７】
請求項４、５に係る可燃性廃棄物の焼却方法では、ベンゼン核が更に形成されにくいので、焼却時にダイオキシンの発生が更に効果的に防止される。また、可燃性廃棄物からの塩素や硫黄の分離が促進されて、これらによる塩素ガスや硫黄酸化物と塩基との中和反応による塩の析出も促進されるので、焼却時に有害物の除去が更に効果的に行われる。また、可燃性廃棄物の保有エネルギーが更に有効に取り出される。従って、公衆衛生や自然環境等に対する悪影響を更に効果的に防止し且つ可燃性廃棄物の保有エネルギーを更に有効に利用しつつ、可燃性廃棄物を焼却することができる。
【図面の簡単な説明】
【図１】本願の発明の一実施形態を実施するための装置の概略図である。
【符号の説明】
１２…粉砕機、１４…粉砕機、１７…混合攪拌装置、１９…計量設備、２３…一次燃焼炉（第一の領域）、２６…燃料油貯槽、４２…水６０％エマルジョン製造機、４６…二次燃焼炉（第二の領域）、６９…塩基水溶液製造装置、７７…熱交換器
【図１】
2004019979.tif 000003